(57)【特許請求の範囲】
【請求項１】
ネットワークにおけるリンク情報及びゲートウェイネットワーク要素がサポートする多段多重化能力制約情報を獲得するステップと、
エンドツーエンド経路計算請求を受ける時に、前記リンク情報及びゲートウェイネットワーク要素がサポートする多段多重化能力制約情報に基づいて、エンドツーエンドルーティング計算を行い、エンドツーエンドルーティングを獲得し、且つ前記エンドツーエンドルーティングが通過するゲートウェイネットワーク要素に用いられる多段多重化能力を選択するステップと、
エンドツーエンドサービスを配置し、前記エンドツーエンドルーティングが通過するゲートウェイネットワーク要素が、選択した多段多重化能力を使用することを設定するステップと、を含むエンドツーエンドサービスの構築方法。
【請求項２】
前記した、前記エンドツーエンドルーティングが通過するゲートウェイネットワーク要素に用いられる多段多重化能力を選択するステップにおいて、多段多重化階層及び／又は多段多重化回数の最小化原則に従って、前記エンドツーエンドルーティングが通過するゲートウェイネットワーク要素に用いられる多段多重化能力を選択する請求項１に記載のエンドツーエンドサービスの構築方法。
【請求項３】
前記エンドツーエンド経路計算請求を受ける時に、前記リンク情報及びゲートウェイネットワーク要素がサポートする多段多重化能力制約情報に基づいて、エンドツーエンドルーティング計算を行うステップにおいて、
前記エンドツーエンド経路計算請求の中に、エンドツーエンドルーティングが通過するゲートウェイネットワーク要素において使用される、或いは使用不可の多段多重化能力を指定する時に、前記エンドツーエンド経路計算請求の中に指定されたエンドツーエンドルーティングが通過するゲートウェイネットワーク要素において使用される、或いは使用不可の多段多重化能力を前記エンドツーエンドルーティング計算に用いる請求項１又は２に記載のエンドツーエンドサービスの構築方法。
【請求項４】
ゲートウェイネットワーク要素がサポートする多段多重化能力制約情報を獲得するステップは、
自動発見プロトコル又はルーティングプロトコルによって、ゲートウェイネットワーク要素がサポートする多段多重化能力制約情報を獲得することを含む請求項１又は２に記載のエンドツーエンドサービスの構築方法。
【請求項５】
前記した、前記エンドツーエンドサービスを配置し、前記エンドツーエンドルーティングが通過するゲートウェイネットワーク要素が、選択した多段多重化能力を使用することを設定するステップは、
制御プレーンがシグナルによってエンドツーエンド接続構築プロセスを発起し、前記シグナルにおいて前記エンドツーエンドルーティングが通過するゲートウェイネットワーク要素に、選択した多段多重化能力を載せることと、
前記シグナルがゲートウェイネットワーク要素に到達する時に、前記ゲートウェイネットワーク要素に、選択した多段多重化能力を設定することと、を含む請求項１又は２に記載のエンドツーエンドサービスの構築方法。
【請求項６】
前記シグナルには、さらに前記エンドツーエンドルーティングにおいてトンネルを構築する必要のあるゲートウェイネットワーク要素を指定し、前記エンドツーエンドサービスの構築方法はさらに、
前記シグナルがゲートウェイネットワーク要素に到達する時に、該ゲートウェイネットワーク要素と前記した、前記エンドツーエンドルーティングにおいてトンネルを構築する
必要のあるゲートウェイネットワーク要素との間のトンネルが構築されていないと、前記トンネルを構築することを含む請求項５に記載のエンドツーエンドサービスの構築方法。
【請求項７】
ネットワークにおけるリンク情報及びゲートウェイネットワーク要素がサポートする多段多重化能力制約情報を獲得し、エンドツーエンド経路計算請求を受ける時に、前記リンク情報及びゲートウェイネットワーク要素がサポートする多段多重化能力制約情報に基づいて、エンドツーエンドルーティング計算を行い、エンドツーエンドルーティングを獲得し、且つ前記エンドツーエンドルーティングが通過するゲートウェイネットワーク要素に用いられる多段多重化能力を選択するように設置される経路計算実体と、
エンドツーエンドサービスを配置し、前記エンドツーエンドルーティングが通過するゲートウェイネットワーク要素が選択した多段多重化能力を使用することを設定するように設置される経路配置実体と、を備えるエンドツーエンドサービスの構築システム。
【請求項８】
前記経路計算実体は、前記エンドツーエンドルーティングが通過するゲートウェイネットワーク要素に用いられる多段多重化能力を選択する時に、多段多重化階層及び／又は多段多重化回数の最小化原則に従うように設置される請求項７に記載のエンドツーエンドサービスの構築システム。
【請求項９】
前記経路計算実体は、前記エンドツーエンド経路計算請求の中に、エンドツーエンドルーティングが通過するゲートウェイネットワーク要素において使用される、或いは使用不可の多段多重化能力を指定する時に、前記エンドツーエンド経路計算請求の中に指定されたエンドツーエンドルーティングが通過するゲートウェイネットワーク要素において使用される、或いは使用不可の多段多重化能力を前記エンドツーエンドルーティング計算に用いるように設置される請求項７又は８に記載のエンドツーエンドサービスの構築システム。
【請求項１０】
前記経路計算実体は、自動発見プロトコル又はルーティングプロトコルによって、ゲートウェイネットワーク要素がサポートする多段多重化能力制約情報を獲得するように設置される請求項７又は８に記載のエンドツーエンドサービスの構築システム。
【請求項１１】
前記経路配置実体は、シグナルによってエンドツーエンド接続構築プロセスを発起し、前記エンドツーエンドルーティングが通過するゲートウェイネットワーク要素において選択した多段多重化能力を前記シグナルに載せ、前記シグナルがゲートウェイネットワーク要素に到達する時に、前記ゲートウェイネットワーク要素において選択された多段多重化能力を設定するように設置される請求項７又は８に記載のエンドツーエンドサービスの構築システム。
【請求項１２】
前記シグナルにおいて、前記エンドツーエンドルーティングにトンネルを構築する必要のあるゲートウェイネットワーク要素を指定し、
前記経路配置実体はさらに、前記シグナルがゲートウェイネットワーク要素に到達する時に、該ゲートウェイネットワーク要素と前記した、前記エンドツーエンドルーティングにトンネルを構築する必要のあるゲートウェイネットワーク要素との間のトンネルが構築されていないと、前記トンネルを構築するように設置される請求項１１に記載のエンドツーエンドサービスの構築システム。
【請求項１３】
光伝送ネットワークの信号伝送方法であって、前記光伝送ネットワークは第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、前記第１ゲートウェイネットワーク要素と第２ゲートウェイネッ
トワーク要素が多段多重化能力をサポートし、第１ゲートウェイネットワーク要素と第２ゲートウェイネットワーク要素が第２サブネットワークによって相互接続され、前記光伝送ネットワークの信号伝送方法は、
前記第１サブネットワークが光チャネルデータユニットＯＤＵｉ信号を第１ゲートウェイネットワーク要素に伝送し、前記第１ゲートウェイネットワーク要素が前記ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送することと、
第２ゲートウェイネットワーク要素が前記ＯＤＵｋ信号をＯＤＵｉに逆変換した後、第３サブネットワークに伝送することと、
を含み、
ＯＤＵｉとＯＤＵｋが異なるタイプの信号であり、ｉとｋが異なる非負整数であり、且つｉ＜ｋであることを特徴とする光伝送ネットワークの信号伝送方法。
【請求項１４】
前記第１ゲートウェイネットワーク要素と第２ゲートウェイネットワーク要素がさらに、１．２５Ｇブランチタイムシーケンス信号と２．５Ｇブランチタイムシーケンス信号の変換をサポートする請求項１３に記載の光伝送ネットワークの信号伝送方法。
【請求項１５】
前記ＯＤＵｉ信号がＯＤＵ０であり、前記ＯＤＵｋ信号がＯＤＵ３であり、或いは、前記ＯＤＵｉ信号がフレキシブル光チャネルデータユニットＯＤＵｆｌｅｘであり、前記ＯＤＵｋ信号がＯＤＵ４である請求項１３に記載の光伝送ネットワークの信号伝送方法。
【請求項１６】
光伝送ネットワークであって、第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、前記第１ゲートウェイネットワーク要素と第２ゲートウェイネットワーク要素が多段多重化能力をサポートし、第１ゲートウェイネットワーク要素と第２ゲートウェイネットワーク要素が第２サブネットワークによって相互接続され、
前記第１ゲートウェイネットワーク要素は、第１サブネットワークから光チャネルデータユニットＯＤＵｉ信号を受信し、前記ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送するように設置され、
前記第２ゲートウェイネットワーク要素は、前記ＯＤＵｋ信号をＯＤＵｉに多段逆多重化した後、第３サブネットワークに伝送するように設置され、ＯＤＵｉとＯＤＵｋが異なるタイプの信号であり、ｉとｋが異なる非負整数であり、且つｉ＜ｋである光伝送ネットワーク。
【請求項１７】
前記第１ゲートウェイネットワーク要素と第２ゲートウェイネットワーク要素がさらに、１．２５Ｇブランチタイムシーケンス信号と２．５Ｇブランチタイムシーケンス信号の変換をサポートする請求項１６に記載の光伝送ネットワーク。
【請求項１８】
前記ＯＤＵｉ信号がＯＤＵ０であり、前記ＯＤＵｋ信号がＯＤＵ３であり、或いは、前記ＯＤＵｉ信号がフレキシブル光チャネルデータユニットＯＤＵｆｌｅｘであり、前記ＯＤＵｋ信号がＯＤＵ４である請求項１６に記載の光伝送ネットワーク。
【発明の詳細な説明】
【技術分野】
【０００１】
本発明は、光ネットワーク伝送分野に属し、特に光伝送ネットワークの自動交換光ネットワークにおけるエンドツーエンドサービスの構築方法とシステム、光伝送ネットワーク及びその信号伝送方法に関する。
【背景技術】
【０００２】
光伝送ネットワーク（ＯＴＮ）は１９９９年に高速ＴＤＭ（Ｔｉｍｅ  Ｄｉｖｉｓｉｏｎ  Ｍｕｌｔｉｐｌｅｘｉｎｇ、時分割多重化）信号の大容量伝送の問題を解決するために提出された「デジタルラッパー」技術である。２００３バージョンで定義されたＯＴＮはクライアント層信号に伝送、多重化、保護及び監視制御管理などの機能を提供でき、サポートされたクライアント層信号が主にＳＴＭ−Ｎ（同期伝送モード）、ＡＴＭ（非同期伝送モード）及びＧＦＰ（ジェネリックフレーミングプロシージャ）マッピングによってサポートされるイーサネット（登録商標）信号であり、その定義された速度レベルが２．５Ｇ、１０Ｇ及び４０Ｇである。伝送ネットワーク負荷信号のインターネットプロトコル（ＩＰ）化及び１０ＧＬＡＮインタフェースの普及につれて、ＯＴＮにおける１０ＧＥ（ギガビット・イーサネット（登録商標））の負荷が重要な問題になるため、国際電気通信連合（ＩＴＵ−Ｔ）が２００７年にＧ．ｓｕｐ４３標準を開発し、ＯＴＮによる１０ＧＥ信号の伝送方式を定義した。
【０００３】
従来ＯＴＮの多重化系は非常に簡単で、速度レベルが２．５Ｇ、１０Ｇ及び４０Ｇであり、それぞれ光チャネルデータユニット（ＯＤＵ）１、ＯＤＵ２及びＯＤＵ３に対応する。ＣＢＲ（Ｃｏｎｓｔａｎｔ  Ｂｉｔ  Ｒａｔｅ、固定ビットレート）のサービスは非同期マッピング（ＡＭＰ）又はビット同期マッピング（ＢＭＰ）方式を採用して相応のＯＤＵｋにマッピングされ、Ｐａｃｋｅｔ（パケット）サービスがＧＦＰ方式を採用してＯＤＵｋにマッピングされ、これらＯＤＵｋがさらに相応の光チャネル伝送ユニットＯＴＵｋにマッピングされる。もちろん、図１に示すように、低速度レベルのＯＤＵも高速度レベルのＯＤＵに多重化されることが可能である。
【０００４】
複数のサービスに適応するために、ＯＴＮは新たな概念ＨＯ（Ｈｉｇｈ  Ｏｒｄｅｒ、上位）ＯＤＵとＬＯ（Ｌｏｗ  Ｏｒｄｅｒ、下位）ＯＤＵを導入し、図２に示すように、図２において、左から、第１列がＬＯ  ＯＤＵであり、各枠における速度レベルが、例えばＯＤＵ３がいずれもＯＤＵ３（Ｌ）と記され、ＬがＬｏｗ  Ｏｒｄｅｒであり、第２列が上位であり、各枠における速度レベルが、例えばＯＤＵ３がいずれもＯＤＵ３（Ｈ）と記され、ＨがＨｉｇｈ  Ｏｒｄｅｒである。ＨＯ／ＬＯが同期デジタルハイアラーキー（ＳＤＨ）における上位／下位カプセルの概念と一致し、ＬＯ  ＯＤＵがサービス層に相当し、異なる速度と異なるフォーマットのサービスを整合することに用いられ、ＨＯ  ＯＤＵがトンネル層に相当し、一定の帯域幅の伝送能力を提供することに用いられ、このような階層構造はサービスカードと回線カードとの分離をサポートし、それによりネットワークの配置にさらなる柔軟性と経済性をもたらす。
【０００５】
Ｇ．７０９改正（Ａｍｅｎｄｍｅｎｔ）３とＧ．ｓｕｐ４３は２００３年のＧ．７０９に対して、大きく変化し、ＯＤＵ０、ＯＤＵ２ｅ、ＯＤＵ３ｅｌ、ＯＤＵ３ｅ２、フレキシブルＯＤＵ（ＯＤＵｆｌｅｘ）及びＯＤＵ４を含む新たな信号タイプを導入した。まず、速度が１．２４４Ｇｂ／ｓの新たな光チャネルデータユニットＯＤＵ０を導入し、ＯＤＵ０が独立に交差接続することができ、上位ＯＤＵ（例えばＯＤＵ１、ＯＤＵ２、ＯＤＵ３及びＯＤＵ４）にマッピングされることもできる。将来の１００ＧＥサービスの伝送に適応するために、ＯＤＵ４を導入し、速度が１０４．３５５Ｇｂ／ｓである。
【０００６】
ＯＤＵ１はＯＤＵ２、ＯＤＵ３にマッピングされ、及びＯＤＵ２はＯＤＵ３にマッピングされて元Ｇ．７０９バージョンの２．５Ｇブランチタイムシーケンスマッピング多重化方式を保持し、ＯＤＵ１がＯＤＵ２とＯＤＵ３にマッピングされる１．２５Ｇブランチタイムシーケンスを増加させ、ＯＤＵ２がＯＤＵ３にマッピングされる１．２５Ｇブランチタイムシーケンスを増加させ、他の新たな速度（ＯＤＵ０、ＯＤＵ２ｅ、ＯＤＵｆｌｅｘ）がＯＤＵ１、ＯＤＵ２、ＯＤＵ３、ＯＤＵ４にマッピングされるのは、いずれも１．２５Ｇブランチタイムシーケンスマッピング多重化方式を採用する。Ｇ．ｓｕｐ４３によれば、ＯＤＵ２ｅはＯＤＵ３ｅｌの２．５Ｇブランチタイムシーケンスにマッピングされることができ、ＯＤＵ２ｅがさらにＯＤＵ３ｅｌの１．５Ｇブランチタイムシーケンスにマッピングされることができる。ほとんどの下位ＯＤＵは、上位で同じブランチタイムシーケンス数を有するが、ＯＤＵ２ｅが例外であり、ＯＤＵ２ｅがＯＤＵ３で９つの１．２５Ｇブランチタイムシーケンス又は５つの２．５Ｇブランチタイムシーケンスを占用することが必要であり、ＯＤＵ２ｅがＯＤＵ４で８つの１．２５Ｇブランチタイムシーケンスを占用することが必要である。図３はＧ．７０９標準及びＧ．ｓｕｐ４３標準の詳細なマッピング多重化経路構造である。
【０００７】
フレキシブル（Ｆｌｅｘｉｂｌｅ）ＯＤＵの思想は最初、２００８年９月のＩＴＵ−Ｔ  Ｑ１１／ＳＧ１５中間会議と２００８年１２月のＩＴＵ−Ｔ  ＳＧ１５会合で幅広く検討された。Ｆｌｅｘｉｂｌｅ  ＯＤＵの最初の目的は、任意のビット速度のクライアント信号にＯＴＮのビットトランスペアレント伝送を提供することである。ＯＤＵｆｌｅｘは、現在にそれらの有効にＯＤＵ２、ＯＤＵ３或いはＯＤＵ４にマッピングできない新たなビット速度をサポートすることを期待される。ＯＤＵｆｌｅｘは１つの下位ＯＤＵとされ、１つＯＤＵｆｌｅｘが上位ＯＤＵｋの任意の整数倍のブランチタイムシーケンス数を占用する。ＯＤＵｆｌｅｘ帯域幅は動的に調整可能である。
【０００８】
現在、お薦めのＰａｃｋｅｔ  ＯＤＵｆｌｅｘの大きさは、ｎ×１．２４４１６Ｇｂｉｔ／ｓ±２０ｐｐｍ（１≦ｎ≦８０）であり、ＣＢＲ  ＯＤＵｆｌｅｘの大きさがクライアント信号速度の２３９／２３８倍である。新たに定義されたＯＤＵｆｌｅｘはＯＤＵ０、ＯＤＵ１、ＯＤＵ２及びＯＤＵ３にマッピングされたクライアント信号にマッピングを提供しない。ＣＢＲクライアント信号に対して、まず、ＢＭＰによってクライアント信号をＯＤＵｆｌｅｘにマッピングし、ＯＤＵｆｌｅｘ速度がクライアント信号の２３９／２３８倍（クライアント信号速度が２．５Ｇ以上である。）であり、パケットサービスのクライアント信号に対して、現在、ＧＦＰでクライアント信号をＯＤＵｆｌｅｘにマッピングすることを検討しており、ＯＤＵｆｌｅｘ＝ｎ＊１．２４４１６Ｇであり、その中に１≦ｎ≦８０であり、ＯＤＵｆｌｅｘビット速度が上位ＯＤＵｋのブランチタイムシーケンス数の整数倍である。
【０００９】
２００３年バージョンのＧ．７０９標準を公布した後に、数年間の発展を経て、ＯＴＮ設備は数多く配置され、最新のＧ．７０９標準はさらに大きく変化し、新たに配置されたＯＴＮ設備が制御プレーンをロードされた後、１本のエンドツーエンドのラベルスイッチ経路は同時にたくさんの古い設備と新しい設備を制御する可能性があり、古い設備が２．５Ｇブランチタイムシーケンスユニットしかをサポートできず、新しい設備が２．５Ｇブランチタイムシーケンスユニットをサポートできるばかりでなく、１．２５Ｇブランチタイムシーケンスユニットもサポートでき、１本のエンドツーエンドのラベルスイッチ経路が古い設備と中古設備を通る時に、エンドツーエンドサービスを管理する時に関する相互接続相互通信は、実際に存在する技術問題になる。
【００１０】
ＯＴＮ標準は終始、単一段ＯＤＵ多重化をサポートする。ＯＴＮ  ｖ１におけるポストプロセス結果はＯＤＵ１が、先にＯＤＵ２にマッピングされることなく、直接にＯＤＵ３の１つのブランチタイムシーケンスにマッピングされることである。該体系アーキテクチャの動機は複雑性を減少させることにある。該体系アーキテクチャの正常進化プロセスで、新たに増加されたＯＴＮ機能はさらに高い速度が期待されるので、単一段多重化概念はさらに容易に発展を進められ、つまり、速度がいずれも増加すると、単一段多重化は容易にＯＴＮ体系アーキテクチャにおける使用を続ける可能性がある。
【００１１】
図４に示すように、該ネットワークはオペレーターが配置したＯＴＮネットワークであり、ＯＴＮネットワークにおけるすべてのノード設備の実現がいずれも２００３年に公布したＧ．７０９標準バージョンに基づき、ネットワークにおける各ノードがＯＤＵ０とＯＤＵｆｌｅｘをサポートせず、且つ２．５Ｇブランチタイムシーケンスに基づいたものである。データサービスの大量アプリケーションにつれて、オペレーターは、従来のネットワークにＯＤＵ０とＯＤＵｆｌｅｘアプリケーションを導入することが必要であり、しかしながら、ＯＤＵ０とＯＤＵｆｌｅｘアプリケーションを従来のネットワークに導入する時に、１．２５Ｇブランチタイムシーケンス（ＴＳ）をサポートするネットワークと配置された２．５ＧＴＳをサポートするネットワークとの相互通信の問題が存在し、その他の技術の導入がないと、オペレーターはＯＤＵ０とＯＤＵｆｌｅｘをサポートするように従来ネットワークにおけるすべてのノードをアップグレードしなければならず、これは必ずオペレーターが投資したＯＴＮネットワークを破壊し、オペレーターの追加費用を増加させる。
【００１２】
また、新たなＯＴＮノードを従来ネットワークに導入した後、どのようにエンドツーエンドサービスを制御することも解決する必要のある問題である。１本のエンドツーエンドのＯＤＵｋサービスは同時に多くの古い設備と新しい設備を通る可能性があり、古い設備が２．５Ｇブランチタイムシーケンスユニットしかをサポートできず、新しい設備が２．５Ｇブランチタイムシーケンスユニットをサポートできるばかりでなく、１．２５Ｇブランチタイムシーケンスユニットもサポートでき、１本のエンドツーエンドＯＤＵｋが古い設備と新しい設備を通る時に、エンドツーエンドサービスを管理する時に関する相互接続相互通信は、実際に存在する技術問題になる。同時に、さらに、ＯＤＵ０とＯＤＵｆｌｅｘサービスをＯＴＮネットワークに導入し、且つ配置されたネットワークと相互接続相互通信する問題が存在する。
【発明の概要】
【発明が解決しようとする課題】
【００１３】
本発明が解決しようとする技術問題はエンドツーエンドサービスの構築方法とシステム、光伝送ネットワーク及び信号伝送方法を提供し、光伝送ネットワークの自動交換光ネットワークに新たな信号タイプを導入した後、エンドツーエンドの相互接続相互通信を実現し、且つ従来のＯＴＮネットワークを保護することができ、オペレーターの追加開発コストを減少させることである。
【課題を解決するための手段】
【００１４】
上記の問題を解決するために、本発明はエンドツーエンドサービスの構築方法を提供し、
ネットワークにおけるリンク情報及びゲートウェイネットワーク要素がサポートする多段多重化能力制約情報を獲得するステップと、
エンドツーエンド経路計算請求を受ける時に、前記リンク情報及びゲートウェイネットワーク要素がサポートする多段多重化能力制約情報に基づいて、エンドツーエンドルーティング計算を行い、エンドツーエンドルーティングを獲得し、且つ前記エンドツーエンドルーティングが通過するゲートウェイネットワーク要素に用いられる多段多重化能力を選択するステップと、
前記エンドツーエンドサービスを配置し、前記エンドツーエンドルーティングが通過するゲートウェイネットワーク要素に選択した多段多重化能力を配置するステップと、を含む。
【００１５】
前記方法はさらに、前記した、前記エンドツーエンドルーティングが通過するゲートウェイネットワーク要素に用いられる多段多重化能力を選択するステップにおいて、多段多重化階層及び／又は多段多重化回数の最小化原則に従って、前記エンドツーエンドルーティングが通過するゲートウェイネットワーク要素に用いられる多段多重化能力を選択することを特徴としてもよい。
【００１６】
前記方法はさらに、前記エンドツーエンド経路計算請求を受ける時に、前記リンク情報及びゲートウェイネットワーク要素がサポートする多段多重化能力制約情報に基づいて、エンドツーエンドルーティング計算を行うステップにおいて、
前記エンドツーエンド経路計算請求の中に、エンドツーエンドルーティングが通過するゲートウェイネットワーク要素において使用される、或いは使用不可の多段多重化能力を指定する時に、前記エンドツーエンド経路計算請求の中に指定されたエンドツーエンドルーティングが通過するゲートウェイネットワーク要素において使用される、或いは使用不可の多段多重化能力を前記エンドツーエンドルーティング計算に用いることを特徴としてもよい。
【００１７】
前記方法はさらに、ゲートウェイネットワーク要素がサポートする多段多重化能力制約情報を獲得するのは、自動発見プロトコル又はルーティングプロトコルによって、ゲートウェイネットワーク要素がサポートする多段多重化能力制約情報を獲得するステップを含むことを特徴としてもよい。
【００１８】
前記方法はさらに、前記した、前記エンドツーエンドサービスを配置し、前記エンドツーエンドルーティングが通過するゲートウェイネットワーク要素に選択した多段多重化能力を配置するのは、
制御プレーンがシグナルによってエンドツーエンド接続構築プロセスを発起し、前記シグナルにおいて前記エンドツーエンドルーティングが通過するゲートウェイネットワーク要素に選択した多段多重化能力を載せるステップと、前記シグナルがゲートウェイネットワーク要素に到達する時に、前記ゲートウェイネットワーク要素に選択した多段多重化能力を配置するステップと、を含むことを特徴としてもよい。
【００１９】
前記方法はさらに、前記シグナルにおいて、さらに前記エンドツーエンドルーティングにトンネルを構築する必要のあるゲートウェイネットワーク要素を指定し、前記方法はさらに、
シグナルがゲートウェイネットワーク要素に到達する時に、該ゲートウェイネットワーク要素と前記した、前記エンドツーエンドルーティングにトンネルを構築する必要のあるゲートウェイネットワーク要素との間のトンネルが構築されていないと、前記トンネルを構築することを含むことを特徴としてもよい。
【００２０】
本発明はさらにエンドツーエンドサービスの構築システムを提供し、
ネットワークにおけるリンク情報及びゲートウェイネットワーク要素がサポートする多段多重化能力制約情報を獲得し、エンドツーエンド経路計算請求を受ける時に、前記リンク情報及びゲートウェイネットワーク要素がサポートする多段多重化能力制約情報に基づいて、エンドツーエンドルーティング計算を行い、エンドツーエンドルーティングを獲得し、且つ前記エンドツーエンドルーティングが通過するゲートウェイネットワーク要素に用いられる多段多重化能力を選択するように設置される経路計算実体と、
前記エンドツーエンドサービスを配置し、前記エンドツーエンドルーティングが通過するゲートウェイネットワーク要素に選択した多段多重化能力を配置するように設置される経路配置実体と、を備える。
【００２１】
前記システムはさらに、前記経路計算実体は、前記エンドツーエンドルーティングが通過するゲートウェイネットワーク要素に用いられる多段多重化能力を選択する時に、多段多重化階層及び／又は多段多重化回数の最小化原則に従うように設置されることを特徴としてもよい。
【００２２】
前記システムはさらに、前記経路計算実体は、前記エンドツーエンド経路計算請求の中に、エンドツーエンドルーティングが通過するゲートウェイネットワーク要素において使用される、或いは使用不可の多段多重化能力を指定する時に、前記エンドツーエンド経路計算請求の中に指定されたエンドツーエンドルーティングが通過するゲートウェイネットワーク要素において使用される、或いは使用不可の多段多重化能力を前記エンドツーエンドルーティング計算に用いるように設置されることを特徴としてもよい。
【００２３】
前記システムはさらに、前記経路計算実体は、自動発見プロトコル又はルーティングプロトコルによって、ゲートウェイネットワーク要素がサポートする多段多重化能力制約情報を獲得するように設置されることを特徴としてもよい。
【００２４】
前記システムはさらに、前記経路配置実体は、シグナルによってエンドツーエンド接続構築プロセスを発起し、前記シグナルにおいて前記エンドツーエンドルーティングが通過するゲートウェイネットワーク要素に選択した多段多重化能力を載せ、前記シグナルがゲートウェイネットワーク要素に到達する時に、前記ゲートウェイネットワーク要素に選択した多段多重化能力を配置するように設置されることを特徴としてもよい。
【００２５】
前記システムはさらに、前記シグナルにおいて、前記エンドツーエンドルーティングにトンネルを構築する必要のあるゲートウェイネットワーク要素を指定し、前記経路配置実体はさらに、前記シグナルがゲートウェイネットワーク要素に到達する時に、該ゲートウェイネットワーク要素と前記した、前記エンドツーエンドルーティングにトンネルを構築する必要のあるゲートウェイネットワーク要素との間のトンネルが構築されていないと、前記トンネルを構築するように設置されることを特徴としてもよい。
【００２６】
本発明はさらに、光伝送ネットワークの信号伝送方法を提供し、前記光伝送ネットワークは第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、前記第１ゲートウェイネットワーク要素と第２ゲートウェイネットワーク要素が多段多重化能力をサポートし、第１ゲートウェイネットワーク要素と第２ゲートウェイネットワーク要素が第２サブネットワークによって相互接続され、前記方法は、
前記第１サブネットワークが光チャネルデータユニットＯＤＵｉ信号を第１ゲートウェイネットワーク要素に伝送し、前記第１ゲートウェイネットワーク要素が前記ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送することと、
第２ゲートウェイネットワーク要素が前記ＯＤＵｋ信号をＯＤＵｉに逆変換した後、第３サブネットワークに伝送することと、を含み、
ＯＤＵｉとＯＤＵｋが異なるタイプの信号であり、ｉとｋが異なる非負整数であり、且つｉ＜ｋである。
【００２７】
前記方法はさらに、前記第１ゲートウェイネットワーク要素と第２ゲートウェイネットワーク要素がさらに、１．２５Ｇブランチタイムシーケンス信号と２．５Ｇブランチタイムシーケンス信号の変換をサポートすることを特徴としてもよい。
【００２８】
前記方法はさらに、前記ＯＤＵｉ信号がＯＤＵ０であり、前記ＯＤＵｋ信号がＯＤＵ３であり、或いは、前記ＯＤＵｉ信号がフレキシブル光チャネルデータユニットＯＤＵｆｌｅｘであり、前記ＯＤＵｋ信号がＯＤＵ４であることを特徴としてもよい。
【００２９】
本発明はさらに光伝送ネットワークを提供し、前記光伝送ネットワークは第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、前記第１ゲートウェイネットワーク要素と第２ゲートウェイネットワーク要素が多段多重化能力をサポートし、第１ゲートウェイネットワーク要素と第２ゲートウェイネットワーク要素が第２サブネットワークによって相互接続され、
前記第１ゲートウェイネットワーク要素は、第１サブネットワークからＯＤＵｉ信号を受信し、前記ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送するように設置され、
前記第２ゲートウェイネットワーク要素は、前記ＯＤＵｋ信号をＯＤＵｉに多段逆多重化した後、第３サブネットワークに伝送するように設置され、ＯＤＵｉとＯＤＵｋが異なるタイプの信号であり、ｉとｋが異なる非負整数であり、且つｉ＜ｋである。
【００３０】
前記光伝送ネットワークはさらに、前記第１ゲートウェイネットワーク要素と第２ゲートウェイネットワーク要素がさらに、１．２５Ｇブランチタイムシーケンス信号と２．５Ｇブランチタイムシーケンス信号の変換をサポートすることを特徴としてもよい。
【００３１】
前記光伝送ネットワークはさらに、前記ＯＤＵｉ信号がＯＤＵ０であり、前記ＯＤＵｋ信号がＯＤＵ３であり、或いは、前記ＯＤＵｉ信号がフレキシブル光チャネルデータユニットＯＤＵｆｌｅｘであり、前記ＯＤＵｋ信号がＯＤＵ４であることを特徴としてもよい。
【発明の効果】
【００３２】
本発明は、従来ネットワークにゲートウェイ（Ｇａｔｅｗａｙ）ネットワーク要素を導入し、或いは従来のあるネットワーク要素をゲートウェイネットワーク要素にアップグレードし、これらのゲートウェイネットワーク要素に多段多重化（Ｍｕｌｔｉ  Ｓｔａｇｅ  Ｍｕｌｔｉｐｌｅｘｉｎｇ）を実現することを提出し、それにより、ＯＤＵ０とＯＤＵｆｌｅｘアプリケーションを配置したネットワークに導入し、且つ１．２５Ｇ  ＴＳのネットワークと配置した２．５ＧＴＳをサポートするネットワークとの相互接続相互通信を解決し、１．２５Ｇ  ＴＳ信号と２．５Ｇ  ＴＳ信号との間の変換を完成し、オペレーターの既存したＯＴＮネットワーク投資を保護するだけでなく、新たなＯＤＵｋアプリケーションを投資したＯＴＮネットワークに導入することができる。
【図面の簡単な説明】
【００３３】
【図１】２００３年に出版されたＧ．７０９標準が有するマッピング多重化構造である。
【図２】Ｇ．７０９改正３とＧ．ｓｕｐ４３標準が有するマッピング多重化構造である。
【図３】Ｇ．７０９標準及びＧ．ｓｕｐ４３標準の詳細なマッピング多重化構造である。
【図４】オペレーターが既に投資配置したＯＴＮネットワークであり、該ネットワークにおける各ノード設備の実現がいずれも２００３年に公布されたＧ．７０９標準に基づき、ネットワークにおける各ノードがＯＤＵ０とＯＤＵｆｌｅｘをサポートせず、２．５Ｇブランチタイムシーケンスに基づいたものである。
【図５】ＯＤＵ０とＯＤＵｆｌｅｘ信号をサポートするＯＴＮ設備を図４に示す従来のネットワークに加えるために、ゲートウェイネットワーク要素を導入し、ゲートウェイネットワーク要素が多段多重化をサポートするネットワーク構造である。ゲートウェイネットワーク要素を導入するため、従来ネットワークにおける各ノードを更新する必要がない。
【図６】トンネルに基づくネットワーク設計の１つＯＴＮネットワーク構造図であり、ゲートウェイ（Ｇａｔｅｗａｙ）ネットワーク要素を導入し、中間ノードで構築する必要のある接続数量を最小化にするように、ＯＤＵ０とＯＤＵｆｌｅｘを先にＯＤＵ２又はＯＤＵ３に多重化する。
【図７】ＯＤＵ０とＯＤＵｆｌｅｘ信号をサポートするＯＴＮ設備を図４に示す従来のネットワークに加えるために、ゲートウェイネットワーク要素を導入し、ゲートウェイネットワーク要素が多段多重化をサポートするネットワーク構造である。各ゲートウェイネットワーク要素がサポートする多段多重化能力が異なる。
【図８】図７に基づくエンドツーエンドＯＤＵｋサービス模式図であり、２本のエンドツーエンドＯＤＵ０サービス（それぞれがＧｉｇＥ１とＧｉｇＥ２である。）、１本のＯＤＵ１（ＳＴＭ−１６  １）サービス及び１本のＯＤＵｆｌｅｘサービス（ＯＤＵｆｌｅｘ１）を含む。
【図９】オペレーターがさらに１０Ｇ、４０Ｇ及び１００ＧのＯＴＮネットワークを1つずつ投資構築し、図８に基づくＯＴＮネットワークと相互接続して１つＯＴＮネットワーク模式図を構成し、且つ２本のエンドツーエンドＯＤＵ０サービス（それぞれがＧｉｇＥ３とＧｉｇＥ４である。）、１本のＯＤＵ１（ＳＴＭ−１６  ２）サービス及び１本のＯＤＵｆｌｅｘサービス（ＯＤＵｆｌｅｘ２）を増加する。
【発明を実施するための形態】
【００３４】
以下、図面と具体的な実施例を参照して本発明をさらに説明する。
【００３５】
ＯＤＵ０とＯＤＵｆｌｅｘをＯＴＮ階層アーキテクチャに導入し、新たに増加されたＯＤＵｋ信号速度をいずれも従来の速度より大幅に低く、ある異なる挑戦をもたらし、新たに増加された速度が従来速度のクライアントであってもよい。そのため、はっきりとしたアプリケーションが存在し、２段多重化がＯＤＵ０とＯＤＵｆｌｅｘ信号を従来のネットワークに導入することを補助すると期待され、それにより従来ネットワークにおける各ノードを更新する必要がない。１つのドメインにおけるあるノードが２段多重化を用いて、オペレーターが新たな速度をこれらの新たな速度をサポートする必要のあるそれらのノードだけに制限してアプリケーションすることを許可することができる。
【００３６】
１つのＯＴＮネットワークはもう１つのＯＴＮネットワークのクライアント層である可能性があり、例えば、オペレーターＡが下位ＯＤＵｉと上位ＯＤＵｊ（ｉ＜ｊ）からなるＯＴＮネットワークを有する可能性があり、オペレーターＡの上位ＯＤＵｊがＯＴＵｊによってオペレーターＢに載せられ、オペレーターＢがＯＤＵｊを下位ＯＤＵｊとして上位ＯＤＵｋ（ｊ＜ｋ）に載せる。オペレーターＡ又はオペレーターＢの内部に、２つの階層のＯＤＵが存在し、しかしながら、オペレーターＡの上位ＯＤＵｊがオペレーターＢにとって下位になる。
【００３７】
２段多重化はＯＤＵ０とＯＤＵｆｌｅｘ信号を従来のネットワークに導入することを補助すると期待され、それにより従来ネットワークにおける各ノードを更新する必要がないが、多段多重化をサポートするようにゲートウェイ（Ｇａｔｅｗａｙ）ネットワーク要素を導入することが必要である。
【００３８】
本発明はゲートウェイ（Ｇａｔｅｗａｙ）ネットワーク要素を導入し、ゲートウェイネットワーク要素に多段多重化（Ｍｕｌｔｉ  Ｓｔａｇｅ  Ｍｕｌｔｉｐｌｅｘｉｎｇ）を実現し、ＯＤＵ０とＯＤＵｆｌｅｘアプリケーションを配置したネットワークに導入することを補助し、１．２５Ｇ  ＴＳ信号と２．５Ｇ  ＴＳ信号との間の変換を完成し、１．２５Ｇ  ＴＳのネットワークと配置した２．５Ｇ  ＴＳをサポートするネットワークとの相互接続相互通信を解決する。
【００３９】
本発明は光伝送ネットワークを提供し、前記光伝送ネットワークは少なくとも第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、第１ゲートウェイネットワーク要素と第２ゲートウェイネットワーク要素が第２サブネットワークによって相互接続され、前記第１ゲートウェイネットワーク要素と第２ゲートウェイネットワーク要素が多段多重化能力、及び１．２５Ｇブランチタイムシーケンス信号と２．５Ｇブランチタイムシーケンス信号との変換をサポートし、
前記第１ゲートウェイネットワーク要素は、第１サブネットワークからＯＤＵｉ信号を受信し、ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送するように設置され、
前記第２ゲートウェイネットワーク要素は、前記ＯＤＵｋ信号をＯＤＵｉに多段逆多重化した後、第３サブネットワークに伝送するように設置され、ＯＤＵｉとＯＤＵｋが異なるタイプの信号である。
【００４０】
例えば、前記ＯＤＵｉ信号がＯＤＵ０であってもよく、前記ＯＤＵｋ信号がＯＤＵ３であり、ＯＤＵ０がまずＯＤＵ１／ＯＤＵ２に多重化され、ＯＤＵ１／２がさらにＯＤＵ３に多重化され、或いは、前記ＯＤＵｉ信号がＯＤＵｆｌｅｘであり、前記ＯＤＵｋ信号がＯＤＵ４であり、ＯＤＵｆｌｅｘがまずＯＤＵ２／ＯＤＵ３に多重化され、次にＯＤＵ４に多重化され、それによりＯＤＵ０／ＯＤＵｆｌｅｘをサポートするネットワークとＯＤＵ２／３／４だけをサポートする従来ネットワークとの相互接続相互通信を実現する。当然、ＯＤＵｉ信号がＯＤＵ０／ＯＤＵｆｌｅｘに限らず、サービスの需要に応じて他の信号タイプであってもよい。
【００４１】
光伝送ネットワークにも、さらに多くのゲートウェイネットワーク要素を備え、ゲートウェイネット同士がそれがサポートする多段多重化能力とサービス需要に基づいて相応のトンネルを構築し、異なるネットワークの相互接続相互通信を実現する。
【００４２】
本発明はさらに光伝送ネットワークの信号伝送方法を提供し、前記光伝送ネットワークは少なくとも第１サブネットワーク、第２サブネットワーク及び第３サブネットワークを備え、前記第１サブネットワークと第２サブネットワークが第１ゲートウェイネットワーク要素によって相互接続され、第２サブネットワークと第３サブネットワークが第２ゲートウェイネットワーク要素によって相互接続され、第１ゲートウェイネットワーク要素と第２ゲートウェイネットワーク要素が第２サブネットワークによって相互接続され、前記第１ゲートウェイネットワーク要素と第２ゲートウェイネットワーク要素が多段多重化能力、及び１．２５Ｇブランチタイムシーケンス信号と２．５Ｇブランチタイムシーケンス信号との変換をサポートし、
前記第１サブネットワークのＯＤＵｉ信号を第１ゲートウェイネットワーク要素に伝送し、前記第１ゲートウェイネットワーク要素が前記ＯＤＵｉ信号をＯＤＵｋ信号に多段多重化し、且つ第１ゲートウェイネットワーク要素と第２ゲートウェイネットワーク要素との間に構築されたＯＤＵｋトンネルによって、第２ゲートウェイネットワーク要素に伝送し、
第２ゲートウェイネットワーク要素が前記ＯＤＵｋ信号をＯＤＵｉに多段逆多重化した後、第３サブネットワークに伝送し、ＯＤＵｉとＯＤＵｋが異なるタイプの信号である。
【００４３】
前記ＯＤＵｉ信号がＯＤＵ０であってもよく、前記ＯＤＵｋ信号がＯＤＵ３であり、或いは、前記ＯＤＵｉ信号がＯＤＵｆｌｅｘであってもよく、前記ＯＤＵｋ信号がＯＤＵ４である。
【００４４】
本発明は管理プレーン又は制御プレーンによって、１本のエンドツーエンドＯＤＵｋサービスを構築する方法を提供し、以下のステップを含む。
【００４５】
ステップＳ１：管理プレーン又は制御プレーンが、ＯＴＮネットワークにおける各本のリンクの詳細情報を獲得し、該情報はリンクのサポートするブランチタイムシーケンス粒度サイズ、サポートするブランチタイムシーケンス最大個数（即ち、リンクの最大帯域幅）、現在リンクが利用可能なブランチタイムシーケンス個数及びリンクがサポートする下位信号タイプを含む。
【００４６】
ステップＳ２：管理プレーン又は制御プレーンが１本のエンドツーエンドＯＤＵｋサービスを計算する前に、ゲートウェイネットワーク要素（例えば、図７におけるＧａｔｅｗａｙ１、Ｇａｔｅｗａｙ３及びＧａｔｅｗａｙ４ゲートウェイネットワーク要素）がサポートする多段多重化能力制約情報（単一段多重化能力がリンクのサポートする下位信号タイプによって推定可能である）を獲得しなければならない。
【００４７】
管理プレーンは従来の技術（例えば、ノードによる主動報告又は管理プレーンによる主動収集の方法）を用いて、ゲートウェイネットワーク要素の多段多重化能力を獲得することができ、制御プレーンにおける経路計算実体が、自動発見プロトコル又はルーティングプロトコルを拡張することによって、ゲートウェイネットワーク要素の多段多重化能力を獲得する。
【００４８】
図７に示すように、Ｇａｔｅｗａｙ１とノード４及びＧａｔｅｗａｙ３とノード７との間に位置するリンクは、ＯＤＵ０が２段多重化／逆多重化によって、ＯＤＵ３ネットワーク（Ｎｅｔｗｏｒｋ）２のネットワークにマッピング可能である（即ち、ＯＤＵ０がＯＤＵ１又はＯＤＵ２にマッピング可能であり、さらにＯＤＵ１又はＯＤＵ２をＯＤＵ３にマッピングする）ため、これらのリンクのサポートする下位信号だけを分かると、経路計算実体によるルーティング計算には足りず、さらにＯＤＵ０がどのようにＯＤＵ３Ｎｅｔｗｏｒｋ２ネットワークにマッピングするかを分かることを必要とし、即ち、経路計算実体はＧａｔｅｗａｙ１とノード４及びＧａｔｅｗａｙ３とノード７との間のリンクのサポートする多段多重化能力制約情報を分からなければならない。
【００４９】
ステップＳ３：管理プレーン又は制御プレーンの経路計算実体（例えばＰＣＥ：Ｐａｔｈ  Ｃｏｍｐｕｔａｔｉｏｎ  Ｅｌｅｍｅｎｔ）が、ステップＳ１とステップＳ２で獲得された情報をエンドツーエンドのルーティング計算に用い、エンドツーエンドルーティングを得て、且つエンドツーエンドルーティング通過する各ゲートウェイネットワーク要素に用いられる多段多重化能力を選択する。
【００５０】
経路計算実体は、獲得したゲートウェイネットワーク要素の多段多重化能力制約情報をエンドツーエンドＯＤＵｋサービス経路計算に用いる。ルーティング計算プロセスにおいて、エンドツーエンドＯＤＵｋサービスが複数のゲートウェイネットワーク要素を通る時に、経路計算実体がエンドツーエンドＯＤＵｋサービスにこれらのゲートウェイネットワーク要素に用いられる多段多重化と逆多重化能力を選択しなければならない。
【００５１】
経路計算実体が通るゲートウェイネットワーク要素に多段多重化能力を選択する時に、多段多重化階層及び／又は多段多重化回数の最小化原則に従い、例えば、多段多重化をできるだけ用いず、又は多重化階層が少ないほどよく、例えば、ＯＤＵ０−ＯＤＵ２−ＯＤＵ３とＯＤＵ０−ＯＤＵ１−ＯＤＵ２−ＯＤＵ３が選択可能である時に、ＯＤＵ０−ＯＤＵ２−ＯＤＵを選択する。
【００５２】
ステップＳ４：ルーティング計算が終わった後、エンドツーエンドサービスが通るノード、リンク及びゲートウェイネットワーク要素に選択した多段又は単一段多重化／逆多重化能力は確定され、管理プレーン又は制御プレーンによって、前記エンドツーエンドサービスを配置し、前記エンドツーエンドルーティングが通過するゲートウェイネットワーク要素に選択した多段多重化能力を配置する。
【００５３】
制御プレーンは分布式シグナル方式によって、エンドツーエンドＯＤＵｋサービスを構築する時に、シグナルメッセージにおいて経路計算実体がゲートウェイネットワーク要素に用いられる多段多重化／逆多重化能力を選択することを載せる。
【００５４】
ゲートウェイネットワーク要素に用いられる多段多重化／逆多重化能力情報を載せたシグナル（経路Ｐａｔｈ又は予約Ｒｅｓｖ）メッセージは、ゲートウェイネットワーク要素を通る時に、構築しているエンドツーエンドＯＤＵｋ接続であり、載せた多段多重化能力をデータプレーンに配置する。
【００５５】
シグナルにおいて、さらに前記エンドツーエンドルーティングに関連のトンネルを構築する必要のあるゲートウェイネットワーク要素を指定し、シグナルメッセージがゲートウェイネットワーク要素に到達する時に、該ゲートウェイネットワーク要素とそれに対応するゲートウェイネットワーク要素との間の関連トンネルが構築されていないと、前記トンネルを構築する。
【００５６】
図７に示すように、ＯＤＵ０／ＯＤＵｆｌｅｘエンドツーエンドサービスは、ＯＤＵ３  Ｎｅｔｗｏｒｋ２ネットワークを通ろうとする時に、該ネットワークがＯＤＵ０／ＯＤＵｆｌｅｘ交換を直接にサポートできないため、それによりＯＤＵ０がゲートウェイネットワーク要素においてまずＯＤＵ１／ＯＤＵ２にマッピングされ、次にＯＤＵ１／ＯＤＵ２がＯＤＵ３にマッピングされ、ＯＤＵ３  Ｎｅｔｗｏｒｋ２ネットワークノードがＯＤＵ０を見る必要がなく、直接にＯＤＵ１又はＯＤＵ２を交換する。このため、まずＧａｔｅｗａｙ１とＧａｔｅｗａｙ３との間に１本のＯＤＵ１又はＯＤＵ２のトンネルを構築する必要があり、即ち、関連の1対のゲートウェイネットワーク要素との間には、負荷しようとする構築待ちエンドツーエンドＯＤＵｉ（例えばＯＤＵ０）接続より高速度である１本のＯＤＵｊ（例えばＯＤＵ１又はＯＤＵ２）接続（ｉ＜ｊ）を構築する必要がある。経路計算実体は通ったゲートウェイネットワーク要素に選択された多段多重化能力制約情報を分かることが可能であるため、どのゲートウェイネットワーク要素との間に関連のトンネルを構築する必要があるかを分かることが可能であり、そのため、シグナルメッセージにおいてトンネルを構築する必要のあるゲートウェイネットワーク要素を明確に指定し、さらに、指定された関連の1対のゲートウェイネットワーク要素との間には、負荷しようとする構築待ちエンドツーエンドＯＤＵｉ（例えばＯＤＵ０）接続より高速度である１本のＯＤＵｊ（例えばＯＤＵ１又はＯＤＵ２）接続（ｉ＜ｊ）を構築する。
【００５７】
本発明は、さらにエンドツーエンドサービスの構築システムを提供し、
ネットワークにおけるリンク情報及びゲートウェイネットワーク要素がサポートする多段多重化能力制約情報を獲得し、エンドツーエンド経路計算請求を受ける時に、前記リンク情報及びゲートウェイネットワーク要素がサポートする多段多重化能力制約情報に基づいて、エンドツーエンドルーティング計算を行い、エンドツーエンドルーティングを獲得し、且つ前記エンドツーエンドルーティングが通過するゲートウェイネットワーク要素に用いられる多段多重化能力を選択するように設置される経路計算実体と、
前記エンドツーエンドサービスを配置し、前記エンドツーエンドルーティングが通過するゲートウェイネットワーク要素に選択した多段多重化能力を配置するように設置される経路配置実体と、を備える。
【００５８】
前記経路計算実体は、前記エンドツーエンドルーティングが通過するゲートウェイネットワーク要素に用いられる多段多重化能力を選択する時に、多段多重化階層及び／又は多段多重化回数の最小化原則に従うように設置される。
【００５９】
前記経路計算実体は、前記エンドツーエンド経路計算請求の中に、エンドツーエンドルーティングが通過するゲートウェイネットワーク要素において使用される、或いは使用不可の多段多重化能力を指定する時に、前記エンドツーエンド経路計算請求の中に指定されたエンドツーエンドルーティングが通過するゲートウェイネットワーク要素において使用される多段多重化能力を前記エンドツーエンドルーティング計算に用いるように設置される。
【００６０】
前記経路計算実体は、自動発見プロトコル又はルーティングプロトコルによって、ゲートウェイネットワーク要素がサポートする多段多重化能力制約情報を獲得するように設置される。
【００６１】
前記経路配置実体は、エンドツーエンド接続構築プロセスを発起し、シグナルにおいて、前記エンドツーエンドルーティングが通過するゲートウェイネットワーク要素に選択した多段多重化能力を載せ、シグナルがゲートウェイネットワーク要素に到達する時に、前記ゲートウェイネットワーク要素に選択した多段多重化能力を配置するように設置される。
【００６２】
また、シグナルにおいて、前記エンドツーエンドルーティングに関連トンネルを構築する必要のあるゲートウェイネットワーク要素を指定し、前記経路配置実体はさらに、シグナルがゲートウェイネットワーク要素に到達する時に、該ゲートウェイネットワーク要素と前記エンドツーエンドルーティングに関連トンネルを構築する必要のあるゲートウェイネットワーク要素との間のトンネルが構築されていないと、前記トンネルを構築するように設置される。
【実施例１】
【００６３】
従来ネットワークに配置された各ノード（４、５、６、７）を更新する必要がなく、ＯＤＵ０とＯＤＵｆｌｅｘ信号を図４に示す従来のネットワークに導入するために、本発明はゲートウェイ（Ｇａｔｅｗａｙ）ネットワーク要素を導入し、ゲートウェイネットワーク要素に多段多重化（Ｍｕｌｔｉ  Ｓｔａｇｅ  Ｍｕｌｔｉｐｌｅｘｉｎｇ）を実現し、ＯＤＵ０とＯＤＵｆｌｅｘアプリケーションを配置したネットワークに導入ことを補助し、１．２５Ｇ  ＴＳ信号と２．５Ｇ  ＴＳ信号の間の変換を完成し、１．２５Ｇ  ＴＳのネットワークと配置した２．５Ｇ  ＴＳをサポートするネットワークとの相互接続相互連通を解決する。
【００６４】
エンドツーエンドＯＤＵｋサービスが複数のゲートウェイネットワーク要素を通る時に、経路計算実体はエンドツーエンドＯＤＵｋサービスにこれらのゲートウェイネットワーク要素に相応の多段多重化と逆多重化能力を選択しなければならない。
【００６５】
図４に示すネットワークをアップグレードした後、図５に示すネットワークを得て、具体的なアップグレード方式は、下記のことである可能性がある。
【００６６】
（１）最初のネットワークがノード４、５、６、７だけからなる可能性があり、ネットワークがＯＤＵ０をサポートするようにノード１、２、３、８、９、１０とゲートウェイノードを加える。
【００６７】
（２）又は最初のネットワークがノード４、５、６、７とノード４、７に接続される２つのノードを含む可能性があり、この２つのノードがアップグレードしてＯＤＵ０をサポートし、ゲートウェイノードになる。
【００６８】
図５に示すように、これらゲートウェイネットワーク要素に、ＯＤＵ０がまずＯＤＵ１／ＯＤＵ２にマッピングされ、次にＯＤＵ１／ＯＤＵ２がＯＤＵ３にマッピングされ、ＯＤＵ３  Ｎｅｔｗｏｒｋ２ネットワークにおける他のノード（４、５、６、７）がＯＤＵ０を見る必要がなく、直接にＯＤＵ１又はＯＤＵ２を交換し、それにより、オペレーターの既存投資を保護するだけでなく、新たなアプリケーションとサービスを導入することができ、オペレーターの既存ネットワーク投資の価値を上昇させる。
【００６９】
また、ネットワークアップグレードシーン以外に、第２の潜在的な多段多重化アプリケーションは、トンネルに基づいたネットワーク設計である。１つＯＤＵ４ネットワークにおいて、各ＯＤＵ４が８０個のブランチタイムシーケンスを有する。大量のＯＤＵ０とＯＤＵｆｌｅｘは３〜４個のブランチタイムシーケンスが必要であるとする。大量の回路サービスは、同じエンドポイント（又はさらに全経路の一部）を共有すると、管理面から見れば、ゲートウェイ（Ｇａｔｅｗａｙ）ネットワーク要素を導入し、中間ノードで構築する必要のある接続の数量を最小化にするようにＯＤＵ０とＯＤＵｆｌｅｘをまずＯＤＵ２又はＯＤＵ３に多重化し、多くのコストを節約することができ、ＯＤＵ２／ＯＤＵ３が有効にＯＤＵ０／ＯＤＵｆｌｅｘに用いられるＯＤＵ４を貫通する１本のトンネルを構築する。図６に示すＯＤＵ４ネットワークのように、ＯＤＵ０／ＯＤＵｆｌｅｘがゲートウェイネットワーク要素だけに対して見える。多段多重化はゲートウェイネットワーク要素の複雑性を増加するが、他の非ゲートウェイネットワーク要素ノードにＯＤＵ０又はＯＤＵｆｌｅｘを配置する必要のある交差接続の数量を減少させる。
【実施例２】
【００７０】
該実施例はエンドツーエンドサービスの構築方法のステップＳ３をさらに説明する。
【００７１】
図７に示すように、ゲートウェイネットワーク要素を従来ネットワークに導入し、且つ最新バージョンＧ．７０９標準に基づいて実現されたＯＴＮ設備ノードを配置した後、３つの１０ＧのＯＴＮネットワークと１つの４０ＧのＯＴＮネットワークを構成し、１０ＧのＯＴＮネットワークにおける各本のリンクのサポートするブランチタイムシーケンスサイズ粒度が１．２５ＧＴＳである。３つの１０ＧのＯＴＮネットワークがゲートウェイ（Ｇａｔｅｗａｙ）ネットワーク要素Ｇａｔｅｗａｙ１、ゲートウェイ３及びゲートウェイ４によって、４０ＧのＯＴＮネットワークと相互接続され、その間のリンクがＯＴＵ３リンクである。３つの１０ＧのＯＴＮネットワークにおける各ノードがサポートする交換能力も異なり、その中のＯＤＵ２  Ｎｅｔｗｏｒｋ１におけるノード１、２、３とゲートウェイ１がＯＤＵ０、ＯＤＵ１及びＯＤＵｆｌｅｘの交換能力しかをサポートしない。ＯＤＵ２Ｎｅｔｗｏｒｋ４におけるノード１１、１２、１３及びゲートウェイ４がＯＤＵ０、ＯＤＵｆｌｅｘ及びＯＤＵ１の交換能力しかをサポートしない。ＯＤＵ２Ｎｅｔｗｏｒｋ３におけるノード８、９、１０及びゲートウェイ３がＯＤＵ０とＯＤＵｆｌｅｘの交換能力しかをサポートせず、オペレーターがＯＤＵ２Ｎｅｔｗｏｒｋ３ネットワークに１ＧｉｇＥ（ＯＤＵ０）と１０ＧｉｇＥ（ＯＤＵ２／２ｅ）サービスをアクセスすることを担当させようとするので、ＯＤＵ０／ＯＤＵ２の交換だけをするのは経済的であり、ＯＤＵ１サービス（例えばＳＴＭ−１６）をアクセスしていないので、これらのノードにＯＤＵ１の交換をする必要がない。本実施例のネットワークにおいて、各ゲートウェイネットワーク要素がサポートする多段多重化能力制約情報を下記に示す。
【００７２】
ゲートウェイ１ネットワーク要素がサポートする多段多重化能力は、
ＯＤＵ０−ＯＤＵ１−ＯＤＵ３と、
ＯＤＵ０−ＯＤＵ２−ＯＤＵ３と、
ＯＤＵ１−ＯＤＵ２−ＯＤＵ３と、
ＯＤＵｆｌｅｘ−ＯＤＵ２−ＯＤＵ３と、を含み、
ゲートウェイ３ネットワーク要素がサポートする多段多重化能力は、
ＯＤＵ０−ＯＤＵ２−ＯＤＵ３と、
ＯＤＵｆｌｅｘ−ＯＤＵ２−ＯＤＵ３と、を含み、
ゲートウェイ４ネットワーク要素がサポートする多段多重化能力は、
ＯＤＵ０−ＯＤＵ１−ＯＤＵ３と、
ＯＤＵ０−ＯＤＵ２−ＯＤＵ３と、を含む。
【００７３】
ゲートウェイ４ネットワーク要素がＯＤＵｆｌｅｘ−ＯＤＵ２−ＯＤＵ３多段多重化をサポートしないのは、主なオペレーターが関連のＯＤＵｆｌｅｘアプリケーションがＯＤＵ２Ｎｅｔｗｏｒｋ４ネットワーク内部に限られ、ＯＤＵ２Ｎｅｔｗｏｒｋ４ネットワーク範囲が越えるＯＤＵｆｌｅｘが存在しないと考えるからであり、つまり、ＯＤＵｆｌｅｘアプリケーションがＯＤＵ３Ｎｅｔｗｏｒｋ２を通ることがないので、ゲートウェイ４ネットワーク要素はＯＤＵｆｌｅｘ−ＯＤＵ２−ＯＤＵ３多段多重化をサポートする必要がない。
【００７４】
同時に、ゲートウェイ１、ゲートウェイ３及びゲートウェイ４はいずれもＯＤＵ１−ＯＤＵ３、ＯＤＵ２−ＯＤＵ３の単一段多重化能力をサポートし、且つ従来の技術によってこれらの単一段多重化能力情報を獲得可能である。
【００７５】
経路計算実体は下記の５つのエンドツーエンドサービス構築請求を受信し、図８に示し、下記の内容を含む。
【００７６】
（１）ノード１からノード１０の間の１本のＧｉｇＥ（ＯＤＵ０）エンドツーエンドサービスであり、該サービスをＧｉｇＥ１と記し、
（２）ノード２からノード１２の間の１本のＧｉｇＥ（ＯＤＵ０）エンドツーエンドサービスであり、該サービスをＧｉｇＥ２と記し、
（３）ノード１からノード１３の間の１本のＳＴＭ−１６エンドツーエンドサービスであり、該サービスをＳＴＭ−１６１と記し、
（４）ノード１からノード８の間の１本のＯＤＵｆｌｅｘエンドツーエンドサービスであり、帯域幅の必要なサイズは５＊１．２５Ｇであり、該サービスをＯＤＵｆｌｅｘ１と記し、
（５）ノード１からノード１２の間の１本のＯＤＵｆｌｅｘエンドツーエンドサービスであり、帯域幅の必要なサイズは６＊１．２５Ｇである。
【００７７】
請求（１）に対するルーティング計算の詳細な実施ステップは下記である。
【００７８】
ステップ（１１）：管理プレーンと制御プレーンの経路計算実体は、エンドツーエンドサービス構築請求（１）に、従来の技術を利用して１本の利用可能なエンドツーエンドルーティングを計算し、例えば通るノードが１、３、ゲートウェイ１、４、６、７、ゲートウェイ３、９、１０である。
【００７９】
ステップ（１２）：ゲートウェイ３がＯＤＵ０サービスに対してＯＤＵ０−ＯＤＵ２−ＯＤＵ３の２段多重化と逆多重化能力しかをサポートしないので、ゲートウェイ１がＯＤＵ０−ＯＤＵ１−ＯＤＵ３とＯＤＵ０−ＯＤＵ２−ＯＤＵ３の多重化と逆多重化能力をサポートするが、経路計算実体は該エンドツーエンドＯＤＵ０サービスにゲートウェイ１とゲートウェイ３にＯＤＵ０−ＯＤＵ２−ＯＤＵ３の多段多重化と逆多重化能力しかを選択できず、そうでなければ信号がエンドツーエンドで伝送できない。
【００８０】
請求（２）に対するルーティング計算の詳細な実施ステップは下記である。
【００８１】
ステップ（２１）：管理プレーンと制御プレーンの経路計算実体はエンドツーエンドサービス構築請求（２）に、従来の技術を利用して１本の利用可能なエンドツーエンドルーティングを計算し、例えば通るノードが２、ゲートウェイ１、４、５、ゲートウェイ４、１１、１２である。
【００８２】
ステップ（２２）：ゲートウェイ１とゲートウェイ４がＯＤＵ０サービスに対していずれもＯＤＵ０−ＯＤＵ１−ＯＤＵ３とＯＤＵ０−ＯＤＵ２−ＯＤＵ３の２段多重化と逆多重化能力をサポートするので、経路計算実体は一定の策略に基づいてこの２つのゲートウェイネットワーク要素に同じ２段多重化と逆多重化能力を選択可能である。例えばゲートウェイ１において、サービス（１）が既にＯＤＵ０−ＯＤＵ２−ＯＤＵ３の多重化／逆多重化能力を選択したので、サービス（１）と同じＯＤＵ２トンネルを通るＯＤＵ０サービスが将来に多くある（即ち、将来に他のＯＤＵ０サービスがいずれも同じＯＤＵ２に多重化され、且つ同じノードゲートウェイ１、４、６、７、ゲートウェイ３を通る）と、サービス（２）とサービス（１）が同じ一区切りのＯＴＵ３リンク（ゲートウェイ１と４ノードの間に位置する）を通るが、ＯＤＵ３Ｎｅｔｗｏｒｋ２において異なるノードとルーティングを通る（サービス（２）がゲートウェイ１、４、５、ゲートウェイ４を通る。）ので、ＯＴＵ３リンクに十分な容量を予約して将来にサービス（１）と同じＤＵ２トンネルを通る他のＯＤＵ０サービスに供するように、サービス（２）はゲートウェイ１ノードに、サービス（１）と異なる他の多段多重化能力をできるだけ選択し、例えばＯＤＵ０−ＯＤＵ１−ＯＤＵ３を選択する。
【００８３】
エンドツーエンドＯＤＵｋサービス構築請求も特定のゲートウェイネットワーク要素に特定の多段多重化能力を選択することを指定可能であり、例えば、請求（２）においてゲートウェイ１とゲートウェイ４にＯＤＵ０−ＯＤＵ２−ＯＤＵ３の多段多重化能力を用いることを指定し、このように経路計算実体はＧａｔｅｗａｙ１とゲートウェイ４にサービス構築請求の指定した多段多重化能力（方法）を選択しなければならない。ある多段多重化能力（方法）を使用不可のことを指定することも可能であり、例えばＯＤＵ０−ＯＤＵ２−ＯＤＵ３を使用不可のことを指定し、このとき、経路計算実体はエンドツーエンドＯＤＵｋサービス構築請求にＯＤＵ１−ＯＤＵ２−ＯＤＵ３の多段多重化能力（方法）しかを選択できない。
【００８４】
請求（３）に対するルーティング計算の詳細な実施ステップは下記である。
【００８５】
ステップ（３１）：管理プレーンと制御プレーンの経路計算実体はエンドツーエンドサービス構築請求（３）に、従来の技術を利用して１本の利用可能なエンドツーエンドルーティングを計算し、例えば通るノードが１、２、ゲートウェイ１、４、５、ゲートウェイ４、１３である。
【００８６】
ステップ（３２）：ゲートウェイ１がＯＤＵ１サービスに対してＯＤＵ１−ＯＤＵ２−ＯＤＵ３の２段多重化と逆多重化能力をサポートするが、ゲートウェイ４がＯＤＵ１−ＯＤＵ２−ＯＤＵ３の２段多重化と逆多重化能力をサポートできず、且つＯＤＵ３Ｎｅｔｗｏｒｋ２ネットワークにおける４、５、６、７ノードがいずれもＯＤＵ１の交換能力をサポートするので、経路計算実体はゲートウェイ１とゲートウェイ４に単一段多重化能力ＯＤＵ１−ＯＤＵ３を優先的に選択し、エンドツーエンドサービスの複雑性を減少させることができるが、ゲートウェイ１とゲートウェイ４ノードが１．２５ＧＴＳと２．５ＧＴＳ信号の相互変換を完成する必要がある。
【００８７】
請求（４）に対するルーティング計算の詳細な実施ステップは下記である。
【００８８】
ステップ（４１）：管理プレーンと制御プレーンの経路計算実体はエンドツーエンドＯＤＵｆｌｅｘサービス構築請求（４）に、従来の技術を利用して１本の利用可能なエンドツーエンドルーティングを計算し、例えば通るノードが１、３、ゲートウェイ１、４、６、７、ゲートウェイ３、８である。
【００８９】
ステップ（４２）：ゲートウェイ１とゲートウェイ３がＯＤＵｆｌｅｘサービスに対してＯＤＵｆｌｅｘ−ＯＤＵ２−ＯＤＵ３だけの２段多重化と逆多重化能力しかをサポートしないので、経路計算実体は該ＯＤＵｆｌｅｘエンドツーエンドサービスにゲートウェイ１とゲートウェイ３にＯＤＵｆｌｅｘ−ＯＤＵ２−ＯＤＵ３多段多重化しかを選択できない。
【００９０】
ステップ（４３）：請求（４）におけるＯＤＵｆｌｅｘサービスと請求（１）のＯＤＵ０が同じ1対のゲートウェイネットワーク要素を通り、十分にＯＤＵ３Ｎｅｔｗｏｒｋ２の帯域幅資源を利用するために、該請求（４）におけるＯＤＵｆｌｅｘサービスと請求（１）のＯＤＵ０サービスが一区切りのＯＤＵ２トンネルを共有するが、この２本のサービスに同一のゲートウェイネットワーク要素ノードにおける同一のポートに異なる多段多重化能力（方式）を配置する必要がある。
【００９１】
請求（５）に対するルーティング計算の詳細な実施ステップは下記である。
【００９２】
ステップ（５１）：管理プレーンと制御プレーンの経路計算実体はエンドツーエンドサービス構築請求（５）に、従来の技術を利用して１本の利用可能なエンドツーエンドルーティングを計算し、例えば通るノードが１、２、ゲートウェイ１、４、５、ゲートウェイ４、１１、１２である。
【００９３】
ステップ（５２）：しかしながら、ゲートウェイ４がＯＤＵｆｌｅｘサービスに対して、ＯＤＵｆｌｅｘ−ＯＤＵ２−ＯＤＵ３の多段多重化能力をサポートせず、ＯＤＵｆｌｅｘ信号がステップ（５１）で計算された経路で伝送できないので、請求（５）に対して、経路計算実体のルーティング計算が失敗である。
【実施例３】
【００９４】
該実施例はエンドツーエンドサービスの構築方法のステップＳ３をさらに説明する。
【００９５】
オペレーターは、図８の投資したＯＴＮネットワークの基礎に、新たにいくつかのＯＴＮネットワークを構築する。図９に示すように、オペレーターは新たなＯＴＮネットワークを新たに投資配置し、それぞれが１０ＧのＯＤＵ２  Ｎｅｔｗｏｒｋ５、４０ＧのＯＤＵ３  Ｎｅｔｗｏｒｋ７及び１００ＧのＯＤＵ４  Ｎｅｔｗｏｒｋ６の３つネットワークである。ＯＤＵ４  Ｎｅｔｗｏｒｋ６ネットワーク内部にＯＤＵ０とＯＤＵｆｌｅｘなどのエンドツーエンドサービスに対して配置する必要のある交差接続個数を減少させ、ＯＤＵ４  Ｎｅｔｗｏｒｋ６ネットワーク内におけるすべてのノードがＯＤＵ２（１０Ｇ）とＯＤＵ（４０Ｇ）粒度の交換能力しかを持たない。
【００９６】
ＯＤＵ２Ｎｅｔｗｏｒｋ５ネットワーク内部にほとんどのＯＤＵ０／ＯＤＵ１／ＯＤＵｆｌｅｘのサービスは、いずれもローカル（つまり、これらのサービスがＯＤＵ２  Ｎｅｔｗｏｒｋ５ネットワーク内部に限られ、ＯＤＵ２  Ｎｅｔｗｏｒｋ５を通ることない）である。あるＯＤＵｋサービスが存在すると、例えば、ノード１５に１つのＧｉｇＥ（ＯＤＵ０）をアクセスし、ＯＤＵ４  Ｎｅｔｗｏｒｋ６を跨ぐ必要があり、ＯＤＵ４  Ｎｅｔｗｏｒｋ６の超長距離伝送能力によって、サービスをＯＤＵ３  Ｎｅｔｗｏｒｋ７における２１ノードに伝送する。従来の技術を利用し、ノード１５と２１ノードの間に直接に１本のＯＤＵ２トンネルを構築でき、さらにノード１５と２１に直接にＯＤＵ０をＯＤＵ２トンネルに多重化、逆多重化できる。しかしながら、該方法にいくつかの欠陥があり、超長距離伝送をする必要のあるＯＤＵ０サービスが多くない状況下（例えば、１本のこのようなＯＤＵ０エンドツーエンドサービスしかない。）で、わざわざこれらの超長距離伝送をする必要のある低速度のサービスにＯＤＵ２  Ｎｅｔｗｏｒｋ５とＯＤＵ３  Ｎｅｔｗｏｒｋ７内部でＯＤＵ２トンネルを構築するが、多くのローカルサービスがＯＤＵ２  Ｎｅｔｗｏｒｋ５とＯＤＵ３  Ｎｅｔｗｏｒｋ７ネットワーク内でこれらのトンネルを共有できない場合に、オペレーターにとって、このような超長距離伝送のエンドツーエンドサービスに多くの帯域幅を浪費する。このため、最適な方法はゲートウェイ５とゲートウェイ７との間に直接にＯＤＵ２又はＯＤＵ３トンネルを構築することであり、これらのトンネルがＯＤＵ２  Ｎｅｔｗｏｒｋ５、ＯＤＵ２  Ｎｅｔｗｏｒｋ６とＯＤＵ３  Ｎｅｔｗｏｒｋ７を跨ぐ下位速度サービスによって共有されるが、これらの下位速度サービスがそれぞれＯＤＵ２  Ｎｅｔｗｏｒｋ５とＯＤＵ２  Ｎｅｔｗｏｒｋ７ネットワーク内部で直接にスケジューリングされ、予めＯＤＵ２又はＯＤＵ３トンネルを構築する必要がない。しかしながら、ゲートウェイネットワーク要素を導入する必要があり、ゲートウェイ５とゲートウェイ７にまずＯＤＵ０／ＯＤＵ１／ＯＤＵｆｌｅｘをＯＤＵ２又はＯＤＵ３にマッピングし、さらにＯＤＵ２又はＯＤＵ３をＯＤＵ４にマッピングする。
【００９７】
新たに構築されたゲートウェイネットワーク要素がサポートする多段多重化能力制約情報を下記に示す。
【００９８】
ゲートウェイ５ネットワーク要素がサポートする多段多重化能力は、
ＯＤＵ０−ＯＤＵ２−ＯＤＵ４と、
ＯＤＵ０−ＯＤＵ３−ＯＤＵ４と、
ＯＤＵ１−ＯＤＵ２−ＯＤＵ４と、
ＯＤＵ１−ＯＤＵ３−ＯＤＵ４と、
ＯＤＵｆｌｅｘ−ＯＤＵ２−ＯＤＵ４と、
ＯＤＵｆｌｅｘ−ＯＤＵ３−ＯＤＵ４と、を含み、
ゲートウェイ７ネットワーク要素がサポートする多段多重化能力は、
ＯＤＵ０−ＯＤＵ２−ＯＤＵ４と、
ＯＤＵ０−ＯＤＵ３−ＯＤＵ４と、
ＯＤＵｆｌｅｘ−ＯＤＵ２−ＯＤＵ４と、
ＯＤＵｆｌｅｘ−ＯＤＵ３−ＯＤＵ４と、を含む。
【００９９】
ゲートウェイ７がＯＤＵ１−ＯＤＵ２−ＯＤＵ４又はＯＤＵ１−ＯＤＵ３−ＯＤＵ４多段多重化能力をサポートしないのは、オペレーターが関連のＯＤＵ１アプリケーションがＯＤＵ３  Ｎｅｔｗｏｒｋ７ネットワーク内部に限られ、ＯＤＵ３  Ｎｅｔｗｏｒｋ７ネットワーク範囲を超えるＯＤＵ１が存在しないと考えるからであり、つまり、ＯＤＵ１アプリケーションがＯＤＵ３  Ｎｅｔｗｏｒｋ７を通ることないので、ゲートウェイ７ネットワーク要素はＯＤＵ１−ＯＤＵ２−ＯＤＵ４又はＯＤＵ１−ＯＤＵ３−ＯＤＵ４多段多重化をサポートする必要がない。
【０１００】
ゲートウェイ２ネットワーク要素がサポートする多段多重化能力は、
ＯＤＵ４−ＯＤＵ２−ＯＤＵ３を含み、ＯＤＵ３  Ｎｅｔｗｏｒｋ２ネットワークから伝送されたＯＤＵ３信号（ＯＤＵ２信号をカプセルした）がゲートウェイネットワーク要素ゲートウェイ２を通る時に、ＯＤＵ３から逆多重化によってＯＤＵ２を逆多重化し、さらに多重化によって、ＯＤＵ４信号にカプセルすることを表す。逆には、ＯＤＵ４  Ｎｅｔｗｏｒｋ６ネットワークから伝送されたＯＤＵ４信号（ＯＤＵ２信号をカプセルした）がゲートウェイネットワーク要素ゲートウェイ２を通る時に、ＯＤＵ４から逆多重化によってＯＤＵ２を逆多重化し、さらに多重化によって、ＯＤＵ３信号にカプセルする。同時に、ゲートウェイ２は１．２５Ｇと２．５Ｇブランチタイムシーケンスの変換を完成する。
【０１０１】
経路計算実体は下記の４つのエンドツーエンドサービス構築請求を受信し、図９に示し、下記の内容を含む。
【０１０２】
（６）ノード１４からノード２１の間の１本のＧｉｇＥ（ＯＤＵ０）エンドツーエンドサービスであり、該ＯＤＵ０サービスをＧｉｇＥ３と記し、
（７）ノード１６からノード２３の間の１本のＯＤＵｆｌｅｘエンドツーエンドサービスであり、且つ必要な帯域幅は１０＊１．２５Ｇであり、該ＯＤＵｆｌｅｘサービスをＯＤＵｆｌｅｘ２と記し、
（８）ノード１５からノード１０の間の１本のＧｉｇＥ（ＯＤＵ０）エンドツーエンドサービスであり、該ＯＤＵ０サービスをＧｉｇＥ４と記し、
（９）ノード１５からノード３の間の１本のＳＴＭ−１６（ＯＤＵ１）エンドツーエンドサービスであり、該サービスをＳＴＭ−１６２と記す。
【０１０３】
請求（６）に対するルーティング計算の詳細な実施ステップは下記である。
【０１０４】
ステップ（６１）：管理プレーンと制御プレーンの経路計算実体はエンドツーエンドサービス構築請求（６）に、従来の技術を利用して１本の利用可能なエンドツーエンドルーティングを計算し、例えば通るノードが１４、１５、ゲートウェイ５、１７、１９、２０、ゲートウェイ７、２１である。
【０１０５】
ステップ（６２）：ゲートウェイ７とゲートウェイ５がいずれもＯＤＵ０−ＯＤＵ２−ＯＤＵ４とＯＤＵ０−ＯＤＵ３−ＯＤＵ４の多段多重化能力をサポートするので、経路計算実体は一定の策略に基づいて同じ２段多重化と逆多重化能力を選択可能である。例えばネットワーク運転管理維持者は後でさらにいくつかのＯＤＵｆｌｅｘアプリケーションがあり、且つ帯域幅の需要が８＊１．２５Ｇ（つまり帯域幅の需要がＯＤＵ２より大きい）より大きいことを考えるので、運転管理維持者はエンドツーエンドＯＤＵｋサービス請求において、ゲートウェイネットワーク要素ゲートウェイ５とゲートウェイ７との間にＯＤＵ０−ＯＤＵ３−ＯＤＵ４の多段多重化方法を用いることを指定することができる。このようにエンドツーエンドＯＤＵ０サービスのためにゲートウェイ５とゲートウェイ７の間に構築したＯＤＵ３トンネルが十分に後続のＯＤＵｆｌｅｘサービスによって共有されるようにする。このため、経路計算実体は請求（６）にゲートウェイネットワーク要素ゲートウェイ５とゲートウェイ７との間にＯＤＵ０−ＯＤＵ３−ＯＤＵ４の多段多重化方法を用いる。経路計算実体によって自ら選択されてもよく、例えば経路計算実体がＯＤＵ０−ＯＤＵ２−ＯＤＵ４多段多重化能力を選択し、このためにゲートウェイ７とゲートウェイ５の間にＯＤＵ２トンネルを構築する必要があるが、このトンネルが後続のＯＤＵｆｌｅｘ（帯域幅の需要が８＊１．２５Ｇより大きい）サービスに共有されないことが明らかである。
【０１０６】
請求（７）に対するルーティング計算の詳細な実施ステップは下記である。
【０１０７】
ステップ（７１）：ＤＵｆｌｅｘエンドツーエンドサービスがゲートウェイ５とゲートウェイ７を通り、且つシステムが請求（６）にゲートウェイ５とゲートウェイ７との間にＯＤＵ３のトンネルを構築し、且つ該トンネルにはさらに３１＊１．２５Ｇ帯域幅が残るので、管理プレーンと制御プレーンの経路計算実体はエンドツーエンドＤＵｆｌｅｘサービス構築請求（７）に、従来の技術を利用して１本の利用可能なエンドツーエンドルーティングを計算し、例えば通るノードが１６、ゲートウェイ５、１７、１９、２０、ゲートウェイ７、２２、２３である。
【０１０８】
ステップ（７２）：ステップ（７１）が１本の共有されたＯＤＵ３トンネルを通ることを選択して確定するので、経路計算実体は該サービス請求にゲートウェイ５とゲートウェイ７で該ＧｉｇＥサービスに対してＯＤＵｆｌｅｘ−ＯＤＵ３−ＯＤＵ４多段多重化方法を選択する。このため、請求（７）におけるＯＤＵｆｌｅｘサービスと請求（６）のＯＤＵ０サービスは一区切りのＯＤＵ３トンネルを共有するが、この２本のサービスに同一のゲートウェイネットワーク要素ノードにおける同一のポートに異なる多段多重化能力（方式）を配置する必要がある。
【０１０９】
請求（８）に対するルーティング計算の詳細な実施ステップは下記である。
【０１１０】
ステップ（８１）：管理プレーンと制御プレーンの経路計算実体はエンドツーエンドサービス構築請求（８）に、従来の技術を利用して経路計算実体が通ろうとするゲートウェイネットワーク要素ゲートウェイ５、ゲートウェイ２、ゲートウェイ３を確定する。
【０１１１】
ステップ（８２）：ＯＤＵ３Ｎｅｔｗｏｒｋ２がＯＤＵ１とＯＤＵ２交換しかできず、且つ１．２５Ｇシーケンスをサポートしないので、ＯＤＵ０がゲートウェイネットワーク要素ゲートウェイ２によってまずＯＤＵ１又はＯＤＵ２にマッピングされ、さらにＯＤＵ３にマッピングされるしかない。同時に、経路計算実体はゲートウェイネットワーク要素ゲートウェイ３がＯＤＵ０−ＯＤＵ２−ＯＤＵ４の多段多重化をすることができ、ゲートウェイ５がＤＵ０−ＯＤＵ２−ＯＤＵ４とＤＵ０−ＯＤＵ３−ＯＤＵ４の多段多重化をサポートするので、２種の解決方法がある。
【０１１２】
方法１：ゲートウェイ３とゲートウェイ５との間にＯＤＵ２トンネルを構築し、このために、経路計算実体はゲートウェイネットワーク要素ゲートウェイ５で該サービス請求にＯＤＵ０−ＯＤＵ２−ＯＤＵ４のマッピング多重化能力を選択する。ゲートウェイネットワーク要素ゲートウェイ３で該サービス請求にＯＤＵ０−ＯＤＵ２−ＯＤＵ３のマッピング多重化能力を選択する。ゲートウェイネットワーク要素ゲートウェイ２で該サービス請求にＯＤＵ４−ＯＤＵ２−ＯＤＵ３のマッピング多重化能力を選択する。
【０１１３】
方法２：ゲートウェイ３とゲートウェイ５との間にＯＤＵ３トンネルを構築し、このために、経路計算実体はゲートウェイネットワーク要素ゲートウェイ５で該サービス請求にＯＤＵ０−ＯＤＵ３−ＯＤＵ４のマッピング多重化能力を選択する。ゲートウェイネットワーク要素ゲートウェイ３で該サービス請求にＯＤＵ０−ＯＤＵ３のマッピング多重化能力を選択する。ゲートウェイネットワーク要素ゲートウェイ２で該サービス請求にＯＤＵ４−ＯＤＵ３のマッピング多重化能力を選択する。
【０１１４】
サービススケジューリングの複雑性から見れば、ＯＤＵ３トンネルを構築し、サービスを伝送する時に、さらに少ない多段多重化回数と多段多重化階層が必要であるので、経路計算実体はゲートウェイ５とゲートウェイ１との間に、ゲートウェイネットワーク要素ゲートウェイ２を通るＯＤＵ３トンネルを構築することを選択する。このため、経路計算実体は通るゲートウェイネットワーク要素で多段多重化能力を選択する時に、多段多重化階層と多段多重化回数の最小化原則に従う。
【０１１５】
請求（９）に対するルーティング計算の詳細な実施ステップは下記である。
【０１１６】
ステップ（９１）：管理プレーンと制御プレーンの経路計算実体はエンドツーエンドサービス構築請求（９）に、従来の技術を利用して経路計算実体が通ろうとするゲートウェイネットワーク要素ゲートウェイ５、ゲートウェイ２、ゲートウェイ１を確定する。
【０１１７】
ステップ（９２）：ＯＤＵ４Ｎｅｔｗｏｒｋ６ネットワークにおけるノード１７、１８、１９、２０がＯＤＵ１の交換をサポートできないので、ノード１５とノード３との間に直接にＯＤＵ１接続を構築できない。しかしながら、ゲートウェイ５とゲートウェイ１にＯＤＵ２又はＯＤＵ３トンネルを構築することができ、ゲートウェイ５とゲートウェイ１でＯＤＵ１をＯＤＵ２又はＯＤＵ３に多重化することを採用する。
【０１１８】
ゲートウェイ５とゲートウェイ１との間にＯＤＵ２トンネルを構築しようとすると、それぞれゲートウェイ５、ゲートウェイ２及びゲートウェイ１ゲートウェイネットワーク要素で下記の多重化方法を選択する必要がある。
【０１１９】
ゲートウェイ５：ＯＤＵ１−ＯＤＵ２−ＯＤＵ４
ゲートウェイ２：ＯＤＵ４−ＯＤＵ２−ＯＤＵ３
ゲートウェイ１：ＯＤＵ１−ＯＤＵ２−ＯＤＵ３
ゲートウェイ５とゲートウェイ１との間にＯＤＵ３トンネルを構築しようとすると、それぞれゲートウェイ５、ゲートウェイ２及びゲートウェイ１ゲートウェイネットワーク要素で下記の多重化方法を選択する必要がある。
【０１２０】
ゲートウェイ５：ＯＤＵ１−ＯＤＵ３−ＯＤＵ４
ゲートウェイ２：ＯＤＵ４−ＯＤＵ３
ゲートウェイ１：ＯＤＵ３−ＯＤＵ１
サービススケジューリングの複雑性から見れば、ＯＤＵ３トンネルを構築し、サービスを伝送する時に、さらに少ない多段多重化回数と多段多重化階層が必要であり、経路計算実体は通るゲートウェイネットワーク要素で多段多重化能力を選択する時に、多段多重化階層と多段多重化回数の最小化原則に従うので、経路計算実体はゲートウェイ５とゲートウェイ１との間には、ゲートウェイネットワーク要素ゲートウェイ２を通るＯＤＵ３トンネルを構築することを選択する。
【実施例４】
【０１２１】
該実施例はエンドツーエンドサービスの構築方法におけるステップＳ４をさらに説明する。
【０１２２】
管理プレーンがエンドツーエンドサービスを配置するステップは下記の内容であり、下記実施例がサービス（１）に対して詳細に説明するが、該実施ステップは同様にサービス（２）、（３）、（４）、（５）、（６）、（７）、（８）、（９）に用いられることができる。
【０１２３】
ステップ（４０１）：管理プレーンが従来の技術を利用し、ゲートウェイネットワーク要素ゲートウェイ１とゲートウェイ３との間にＯＤＵ２トンネルを配置する。
【０１２４】
ステップ（４０２）：管理プレーンが従来の技術を利用し、ノード１とゲートウェイ１との間（ノード３を通る）にＯＤＵ０サービスを配置し、ノードゲートウェイ３とノード１０との間（ノード９を通る）にＯＤＵ０サービスを配置する。
【０１２５】
ステップ（４０３）：管理プレーンが該エンドツーエンドＯＤＵ０サービスに、それぞれゲートウェイ１とゲートウェイ３ノードで多段多重化方式のＯＤＵ０−ＯＤＵ２−ＯＤＵ３を配置し、且つ２本のＯＤＵ０サービスと１本のＯＤＵ２トンネルを直列接続し、ゲートウェイ１とゲートウェイ３で関連の交差接続を配置する。
【０１２６】
制御プレーンがエンドツーエンドサービスを配置するステップは下記であり、実施ステップがサービス（１）に対して詳細に説明するが、実施ステップは同様にサービス（２）、（３）、（４）、（５）、（６）、（７）、（８）、（９）に用いられることができる。
【０１２７】
ステップ（５０１）：制御プレーンが経路計算実体計算によるルーティング結果を利用し、エンドツーエンドＯＤＵ０接続構築のシグナルプロセスを発起し、且つシグナル（ＰａｔｈとＲｅｓｖ）において経路計算実体がゲートウェイ１とゲートウェイ３ゲートウェイネットワーク要素で選択した多段多重化能力（方法）情報のＯＤＵ０−ＯＤＵ２−ＯＤＵ３を載せる。同時に、シグナルにおいて２つのゲートウェイネットワーク要素、例えばサービス（１）におけるゲートウェイ１とゲートウェイ３の間に関連のＯＤＵ２トンネルを構築することを明確に指定する。
【０１２８】
ステップ（５０２）：シグナルメッセージ（Ｐａｔｈ）がゲートウェイネットワーク要素ゲートウェイ１に到達する時に、ゲートウェイネットワーク要素ゲートウェイ１とゲートウェイ３の間にエンドツーエンドＯＤＵ０接続を負荷可能なさらなる高速度の１本のＯＤＵ２の接続を構築するようにトリガーする。
【０１２９】
ステップ（５０３）：ＯＤＵ２のトンネルを構築した後、ＯＤＵ０接続の構築プロセスを回復する。
【０１３０】
ステップ（５０４）：ＯＤＵ０接続を構築するＰａｔｈ又はＲｅｓｖメッセージがゲートウェイネットワーク要素に到達した後、シグナル（Ｐａｔｈ又はＲｅｓｖメッセージ）に載せられる多段多重化能力（方法）ＯＤＵ０−ＯＤＵ２−ＯＤＵ３を対応するゲートウェイネットワーク要素における特定のポートに配置する。
【産業上の利用可能性】
【０１３１】
本発明によるエンドツーエンドサービスの構築方法とシステム、光伝送ネットワーク及びその信号伝送方法は、ゲートウェイネットワーク要素を導入し、或いは従来のあるネットワーク要素をゲートウェイネットワーク要素にアップグレードし、これらのゲートウェイネットワーク要素に多段多重化を実現することによって、光伝送ネットワークの自動交換光ネットワークに新たな信号タイプを導入した後のエンドツーエンドの相互接続相互通信を良く実現し、且つ従来のＯＴＮネットワークを保護し、オペレーターの追加開発コストを減少させることができる。
【図１】
0005504374.tif 000002
【図２】
0005504374.tif 000003
【図３】
0005504374.tif 000004
【図４】
0005504374.tif 000005
【図５】
0005504374.tif 000006
【図６】
0005504374.tif 000007
【図７】
0005504374.tif 000008
【図８】
0005504374.tif 000009
【図９】
0005504374.tif 000010